(57)【特許請求の範囲】
【請求項１】
予め定められた電流値以上の電流が流れると、電流が流れるのを遮断する複数の過電流保護素子と、
前記複数の過電流保護素子に電力を供給する電源と、
前記複数の過電流保護素子毎に設けられ、前記電源から前記過電流保護素子を介して供給される電力により動作するとともに、異常が発生した時に異常発生を報知する報知信号を出力する複数の報知負荷回路と、
並列に接続されて一端がグラウンドに接続されている二つの抵抗器と、前記過電流保護素子から前記報知負荷回路へ電力を供給するライン毎に設けられ、前記並列に接続されている二つの抵抗器の前記グラウンドに接続されている一端とは反対側の他端に一端が接続され、もう一端が前記ラインに接続されている抵抗器を有し、前記並列に接続されている二つの抵抗器の前記グラウンドに接続されている一端とは反対側の他端の電圧に基づいて、前記報知負荷回路へ流れる電流を遮断している過電流保護素子を特定する過電流保護素子特定手段と、
前記報知信号を出力した報知負荷回路を特定する回路特定手段と、
前記過電流保護素子特定手段により特定された過電流保護素子と、前記回路特定手段により特定された報知負荷回路とに異常が発生したことを報知する報知手段と
を有する電子機器。
【発明の詳細な説明】
【技術分野】
【０００１】
本発明は、電気回路の異常を検知する技術に関する。
【背景技術】
【０００２】
コピー機能やＦＡＸ機能を備えた複合機と呼ばれる画像形成装置においては、電気回路に過電流が流れるのを防ぐためにヒューズが使用されている。ヒューズが溶断した場合、ヒューズを溶断させる原因が発生した部分を特定し、特定した部分を修理しなければならないが、不具合が発生した部分を、画像形成装置を分解して特定するのは、非常に手間や時間がかかる。このような問題に鑑みて、例えば、特許文献１に開示されているように、不具合の発生部分を特定できるようにした技術が考案されている。
【０００３】
特許文献１に開示された異常検出装置においては、電源回路と負荷回路を接続する電源ライン上にヒューズが介装されている。また、ヒューズの電源側端と接地点との間に分圧回路が介装され、ヒューズの負荷回路側端と接地点との間にも分圧回路が介装されている。各分圧回路はＣＰＵに接続されており、ＣＰＵは分圧回路により得られたヒューズの両端の電圧を検出する。そして、ヒューズ両端の電圧の組合せにより、電源側に不具合が発生したのか、または負荷回路側に不具合が発生したのかを判断する。この技術によれば、不具合が発生した部分が電源側にあるのか負荷回路側にあるのかを知ることができるため、不具合発生部分を特定するのに要する時間を短縮することができる。
【特許文献１】特開２００１−１５０７７３号公報
【発明の開示】
【発明が解決しようとする課題】
【０００４】
ところで、電子機器においては、ヒューズの後段に複数の回路ブロックが接続されることがある。このような電子機器において特許文献１に開示された技術を利用すると、負荷回路側に不具合が発生したことは検知できる。しかしながら、複数接続された回路ブロックのうち、どの回路ブロックに不具合が発生したのかまでは知ることができないため、不具合が発生した部分を特定するのに、非常に手間や時間がかかることとなる。
【０００５】
本発明は、上述した背景の下になされたものであり、その目的は、複数の回路ブロックを有する電子機器において、どの回路ブロックが原因でヒューズが溶断したのかを特定できるようにすることにある。
【課題を解決するための手段】
【０００６】
上述した課題を解決するために本発明は、予め定められた電流値以上の電流が流れると、電流が流れるのを遮断する過電流保護素子と、前記過電流保護素子に電力を供給する電源と、前記電源から前記過電流保護素子を介して供給される電力により動作する負荷回路と、前記電源から前記過電流保護素子を介して供給される電力により動作するとともに、異常が発生した時に異常発生を報知する報知信号を出力する報知負荷回路と、前記電源から前記負荷回路および前記報知負荷回路へ流れる電流が前記過電流保護素子により遮断されているか否か検知する検知手段と、電流が遮断されていることが前記検知手段により検知された際に前記報知信号が入力されている場合には前記報知負荷回路に異常が発生したことを報知し、電流が遮断されていることが前記検知手段により検知された際に前記報知信号が入力されていない場合には前記負荷回路に異常が発生したことを報知する報知手段とを有する電子機器を提供する。
【０００７】
また、本発明は、予め定められた電流値以上の電流が流れると、電流が流れるのを遮断する複数の過電流保護素子と、前記複数の過電流保護素子に電力を供給する電源と、前記複数の過電流保護素子毎に設けられ、前記電源から前記過電流保護素子を介して供給される電力により動作するとともに、異常が発生した時に異常発生を報知する報知信号を出力する複数の報知負荷回路と、並列に接続されて一端がグラウンドに接続されている二つの抵抗器と、前記過電流保護素子から前記報知負荷回路へ電力を供給するライン毎に設けられ、前記並列に接続されている二つの抵抗器の前記グラウンドに接続されている一端とは反対側の他端に一端が接続され、もう一端が前記ラインに接続されている抵抗器を有し、前記並列に接続されている二つの抵抗器の前記グラウンドに接続されている一端とは反対側の他端の電圧に基づいて、前記報知負荷回路へ流れる電流を遮断している過電流保護素子を特定する過電流保護素子特定手段と、前記報知信号を出力した報知負荷回路を特定する回路特定手段と、前記過電流保護素子特定手段により特定された過電流保護素子と、前記回路特定手段により特定された報知負荷回路とに異常が発生したことを報知する報知手段とを有する電子機器を提供する。
【０００８】
また、本発明は、予め定められた電流値以上の電流が流れると、電流が流れるのを遮断する複数の過電流保護素子と、前記複数の過電流保護素子に電力を供給する電源と、前記複数の過電流保護素子毎に設けられ、前記電源から前記過電流保護素子を介して供給される電力により動作するとともに、異常が発生した時に異常発生を報知する報知信号を出力する複数の報知負荷回路と、前記複数の過電流保護素子のいずれかが前記報知負荷回路へ流れる電流を遮断したことを検知する検知手段と、前記報知信号を出力した報知負荷回路を特定する回路特定手段と、前記複数の過電流保護素子のいずれかが前記報知負荷回路へ流れる電流を遮断したことを前記検知手段が検知した場合、前記回路特定手段により特定された報知負荷回路に異常が発生したことを報知する報知手段とを有する電子機器を提供する。
【発明の効果】
【０００９】
本発明によれば、複数の回路ブロックを有する電子機器において、どの回路ブロックが原因でヒューズが溶断したのかを特定することができる。
【発明を実施するための最良の形態】
【００１０】
［第１実施形態］
［実施形態の構成］
以下、図面を参照して本発明の実施形態について説明する。図１は、本発明の第１実施形態に係わる複合機の要部のハードウェア構成を示した図である。
【００１１】
マイクロコンピュータ１０は、ＲＯＭ、ＲＡＭおよび各種入出力端子を備えた、所謂、ワンチップ型のマイクロコンピュータである。マイクロコンピュータ１０は、ＲＯＭに記録されているプログラムに従って動作し、複合機の各部を制御する。マイクロコンピュータ１０は複数の出力端子を備えており、出力端子から制御信号ＳＧ１を出力してＦＡＮモータ１００を制御し、制御信号ＳＧ２を出力してＳＣＡＮモータ駆動部１１０を制御する。また、マイクロコンピュータ１０は複数の入力端子を備えている。マイクロコンピュータ１０は、入力端子に入力される信号の電圧レベルを検知し、検知した電圧レベルに応じて複合機の各部を制御する。
【００１２】
ＦＡＮモータ１００は、複合機内部を冷却するのに使用されるモータであり、マイクロコンピュータ１０に接続されている。このモータのシャフトにはプロペラが取り付けられており、ＦＡＮモータ１００のシャフトの回転は、マイクロコンピュータ１０から送られる制御信号ＳＧ１によって制御される。具体的には「Ｈ」レベルの制御信号ＳＧ１がマイクロコンピュータ１０から出力されるとＦＡＮモータ１００のシャフトが回転し、「Ｌ」レベルの制御信号ＳＧ１がマイクロコンピュータ１０から出力されるとＦＡＮモータ１００のシャフトの回転が停止する。シャフトの回転に伴ってプロペラが回転すると、複合機内部に空気の流れが生じて複合機内部が冷却される。また、ＦＡＮモータ１００は、モータに過電流が流れる等の異常が生じると、異常が生じたことを報知する報知信号Ｓ１０を出力する。ＦＡＮモータ１００は、正常に動作している時には「Ｈ」レベルの報知信号Ｓ１０を出力し、異常が発生した時には「Ｌ」レベルの報知信号Ｓ１０を出力する。
【００１３】
ＳＣＡＮモータ駆動部１１０は、ステッピングモータと、このステッピングモータを駆動するドライバ回路とを備えており（いずれも図示略）、マイクロコンピュータ１０に接続されている。ＳＣＡＮモータ駆動部１１０のシャフトの回転は、マイクロコンピュータ１０から送られる制御信号ＳＧ２によって制御される。複合機は、原稿を複写する際、画像読み取り部にあるランプを原稿に沿って水平に移動させて原稿に光を照射する。そして、原稿からの反射光を検知して原稿の画像を取得し、取得した画像を記録しに複写する。ステッピングモータのシャフトは、原稿に光を照射するランプを水平方向に往復移動させる移動機構（図示略）に接続されており、マイクロコンピュータ１０によりＳＣＡＮモータ駆動部１１０が制御され、ステッピングモータのシャフトが回転すると、複合機の画像読み取り部にあるランプが水平に移動し、原稿に光が照射される。
【００１４】
第１電源３０は、ＦＡＮモータ１００とＳＣＡＮモータ駆動部１１０とに電気エネルギー供給する電源であり、ヒューズ２１に接続されている。第１電源３０から供給される電気エネルギーは、ヒューズ２１を介してＦＡＮモータ１００とＳＣＡＮモータ駆動部１１０とへ供給される。本実施形態においては、第１電源から供給される電圧は２４Ｖとなっている。また、第２電源３１も電気エネルギーを供給する電源である。本実施形態においては、第２電源３１から供給される電圧は３．３Ｖとなっている。
【００１５】
監視回路Ａ１０は、ヒューズ２１が溶断されたことを検知するための回路であり、抵抗４１と、抵抗４２と、抵抗４３と、トランジスタ５１とを備えている。抵抗４１の一方の端部は、ヒューズ２１とＦＡＮモータ１００とを接続するラインに接続されており、もう一方の端部はトランジスタ５１のベースに接続されている。また、抵抗４２の一方の端部はトランジスタ５１のベースに接続されており、もう一方の端部は、トランジスタ５１のエミッタに接続されている。トランジスタ５１のベースにかかる電圧は、この抵抗４１と抵抗４２とによって分圧された電圧となる。また、トランジスタ５１のエミッタはＧＮＤに接続されており、コレクタはマイクロコンピュータ１０に接続されている。トランジスタ５１のコレクタとマイクロコンピュータ１０とを接続するラインには抵抗４３の端部が接続されている。そして、抵抗４３のもう一方の端部は第２電源３１に接続されている。トランジスタ５１のコレクタの電圧Ｓ１は、マイクロコンピュータ１０により検知される。
【００１６】
監視回路Ｂ１０は、ＦＡＮモータ１００から出力された報知信号Ｓ１０をマイクロコンピュータ１０へ伝える回路であり、抵抗４４と、抵抗４５と、トランジスタ５２とを備えている。トランジスタ５２のベースはＦＡＮモータ１００に接続されており、報知信号Ｓ１０が入力される。抵抗４４の一方の端部は、トランジスタ５２のベースに接続されており、もう一方の端部はトランジスタ５２のエミッタに接続されている。また、トランジスタ５２のエミッタはＧＮＤに接続されており、コレクタはマイクロコンピュータ１０に接続されている。トランジスタ５２のコレクタとマイクロコンピュータ１０とを接続するラインには抵抗４５の端部が接続されている。そして、抵抗４５のもう一方の端部は第２電源３１に接続されている。トランジスタ５２のコレクタの電圧Ｓ２は、マイクロコンピュータ１０により検知される。
【００１７】
表示部８０は、液晶ディスプレイを備えており、マイクロコンピュータ１０の制御の下、各種メニューやメッセージを表示する。不揮発性メモリ９０は、データを永続的に記憶するメモリであり、マイクロコンピュータ１０からの制御によって、各種データを記憶し、また、記憶しているデータをマイクロコンピュータ１０へ出力する。
【００１８】
［実施形態の動作］
［ＦＡＮモータ１００に異常が発生した時の動作］
まず、ＦＡＮモータ１００の異常によってヒューズ２１が溶断した時の動作について説明する。ユーザにより複合機の電源が入れられると、マイクロコンピュータ１０へ電力が供給される。マイクロコンピュータ１０は、電力が供給されると、ＲＯＭに記憶されているプログラムに従って、複合機の各部の制御を開始する。また、電源が入れられると、第１電源３０からヒューズ２１を介してＦＡＮモータ１００とＳＣＡＮモータ駆動部１１０とへ電力が供給される。
【００１９】
ヒューズ２１を介して第１電源３０から電力が供給されると、トランジスタ５１のベースに電流が流れる。トランジスタ５１のベースに電流が流れると、トランジスタ５１がＯＮとなり、トランジスタ５１のコレクタの電圧Ｓ１が「Ｌ」レベルとなる。また、第１電源３０から電力が供給された後、ＦＡＮモータ１００が正常に動作していると、ＦＡＮモータ１００から「Ｈ」レベルの報知信号Ｓ１０が出力される。ＦＡＮモータ１００から「Ｈ」レベルの報知信号Ｓ１０が出力されると、トランジスタ５２のベースに電流が流れる。トランジスタ５２のベースに電流が流れると、トランジスタ５２がＯＮとなり、トランジスタ５２のコレクタの電圧Ｓ２が「Ｌ」レベルとなる。
【００２０】
まず、マイクロコンピュータ１０は、ＦＡＮモータ１００のシャフトを回転させるために「Ｈ」レベルの制御信号ＳＧ１を出力する（図２：ステップＳＡ１、図３：時点ｔ１）。この後、マイクロコンピュータ１０は、トランジスタ５２のコレクタの電圧Ｓ２と、トランジスタ５１のコレクタの電圧Ｓ１とを検知する（ステップＳＡ２）。マイクロコンピュータ１０は、トランジスタ５１のコレクタの電圧Ｓ１が「Ｌ」レベルである場合（ステップＳＡ３；ＹＥＳ）、ヒューズ２１が溶断していないと判断し、処理の流れをステップＳＡ２へ戻す。
【００２１】
この後、ＦＡＮモータ１００に過電流が流れる等の異常が発生すると、ＦＡＮモータ１００から「Ｌ」レベルの報知信号Ｓ１０が出力される。ＦＡＮモータ１００から「Ｌ」レベルの報知信号Ｓ１０が出力されると、トランジスタ５２のベースに電流が流れなくなる。トランジスタ５２のベースに電流が流れなくなると、トランジスタ５２がＯＦＦとなり、トランジスタ５２のコレクタの電圧Ｓ２が「Ｈ」レベルとなる（図３：時点ｔ２）。また、ＦＡＮモータ１００に過電流が流れる等の異常が発生すると、ヒューズ２１が溶断する。ヒューズ２１が溶断すると、第１電源３０からＦＡＮモータ１００へ供給されていた電力が供給されなくなり、トランジスタ５１のベースに電流が流れなくなる。トランジスタ５１のベースに電流が流れなくなると、トランジスタ５１がＯＦＦとなり、トランジスタ５１のコレクタの電圧Ｓ１が「Ｈ」レベルとなる（図３：時点ｔ３）。
【００２２】
マイクロコンピュータ１０は、ステップＳＡ２で電圧Ｓ１と電圧Ｓ２とを検知し、トランジスタ５１のコレクタの電圧Ｓ１が「Ｈ」レベルとなったと判断すると（ステップＳＡ３；ＮＯ）、検知した電圧Ｓ２のレベル（ここでは「Ｈ」レベル）を不揮発性メモリ９０に記憶する（ステップＳＡ４）。
【００２３】
マイクロコンピュータ１０は、電圧Ｓ２のレベルを記憶すると、記憶した電圧のレベルに応じて、ヒューズの溶断原因を表示部８０に表示する。電圧Ｓ１のレベルが「Ｈ」レベルになった時に電圧Ｓ２のレベルが「Ｈ」レベルとなっているので（ステップＳＡ５；ＹＥＳ）、マイクロコンピュータ１０は、ヒューズ２１の溶断の原因がＦＡＮモータ１００であると判断し、ヒューズ２１の溶断の原因がＦＡＮモータ１００であることを報知する（ステップＳＡ６）。
【００２４】
［ＦＡＮモータ１００以外に異常が発生した時の動作］
次に、ＦＡＮモータ１００以外の部分に異常が発生したことによってヒューズ２１が溶断した時の動作について説明する。なお、複合機の電源が入れられてからＦＡＮモータ１００のシャフトが回転を始めるまでの動作は、上述した動作と同じであるため、その説明を省略する。
【００２５】
マイクロコンピュータ１０は、制御信号ＳＧ１を出力した後、トランジスタ５２のコレクタの電圧Ｓ２と、トランジスタ５１のコレクタの電圧Ｓ１とを検知する（ステップＳＡ２）。ここで、マイクロコンピュータ１０は、トランジスタ５１のコレクタの電圧Ｓ１が「Ｌ」レベルである場合（ステップＳＡ３；ＹＥＳ）、ヒューズ２１が溶断されていないと判断し、処理の流れをステップＳＡ２へ戻す。
【００２６】
この後、ＳＣＡＮモータ駆動部１１０に過電流が流れる等の異常が発生すると、ヒューズ２１が溶断する。ヒューズ２１が溶断すると、第１電源３０から供給されていた電力が供給されなくなり、トランジスタ５１のベースに電流が流れなくなる。トランジスタ５１のベースに電流が流れなくなると、トランジスタ５１がＯＦＦとなり、トランジスタ５１のコレクタの電圧Ｓ１が「Ｈ」レベルとなる（図４：時点ｔ３）。
この時点において、ＦＡＮモータ１００に異常が発生していない場合、ＦＡＮモータ１００からは「Ｈ」レベルの報知信号Ｓ１０が出力されている。ＦＡＮモータ１００から「Ｈ」レベルの報知信号Ｓ１０が出力されていると、トランジスタ５２のコレクタの電圧Ｓ２は「Ｌ」レベルのままとなる。
【００２７】
マイクロコンピュータ１０は、図４の時点ｔ３でトランジスタ５１のコレクタの電圧Ｓ１が「Ｈ」レベルとなったことを検知すると（ステップＳＡ３；ＮＯ）、トランジスタ５２のコレクタの電圧Ｓ２を検知する。この時点（図４：時点ｔ３）で、電圧Ｓ２のレベルは「Ｌ」レベルのままとなっているので、検知した電圧Ｓ２のレベル（「Ｌ」）を不揮発性メモリ９０に記憶する（ステップＳＡ４）。
【００２８】
マイクロコンピュータ１０は、電圧Ｓ２のレベルを記憶すると、記憶した電圧のレベルに応じて、ヒューズの溶断原因を表示部８０に表示する。電圧Ｓ１のレベルが「Ｈ」レベルになった時に電圧Ｓ２のレベルが「Ｌ」レベルであった場合（ステップＳＡ５；ＮＯ）、マイクロコンピュータ１０は、ヒューズ２１の溶断の原因がＦＡＮモータ１００以外であると判断し、ヒューズ２１の溶断の原因がＦＡＮモータ１００以外であることを報知する（ステップＳＡ７）。
【００２９】
以上説明したように、本実施形態によれば、ユーザや修理者は、複合機を分解することなく、ヒューズ２１が溶断した原因がＦＡＮモータ１００にあるのかＳＣＡＮモータ駆動部１１０にあるのかを知ることができる。
【００３０】
［第２実施形態］
次に本発明の第２実施形態について説明する。図５は、本発明の実施形態に係わる複合機の要部のハードウェア構成を示した図である。なお、図５において、第１実施形態と同部分については、図１と同じ符号を付し、その説明を省略する。
【００３１】
本実施形態に係わるＦＡＮモータ１００は、過電流が流れる等の異常が生じると、異常が生じたことを報知する報知信号Ｓ１０を出力する。ＦＡＮモータ１００は、正常に動作している時には「Ｌ」レベルの報知信号Ｓ１０を出力し、異常が発生した時には「Ｈ」レベルの報知信号Ｓ１０を出力する。ＦＡＮモータ１００へは、ヒューズ２１を介して第１電源から電力が供給される。
【００３２】
本実施形態に係わるＳＣＡＮモータ駆動部１１０は、ＳＣＡＮモータ駆動部１１０に過電流が流れる等の異常が生じると、異常が生じたことを報知する報知信号Ｓ２０を出力する。ＳＣＡＮモータ駆動部１１０は、正常に動作している時には「Ｌ」レベルの報知信号Ｓ２０を出力し、異常が発生した時には「Ｈ」レベルの報知信号Ｓ２０を出力する。ＳＣＡＮモータ駆動部１１０へは、ヒューズ２２を介して第１電源から電力が供給される。
【００３３】
監視回路Ａ１１は、ヒューズ２１が溶断したことを検知するための回路であり、ツェナーダイオード６１と、トランジスタ５１と、抵抗４３とを備えている。ツェナーダイオード６１のカソードは、ヒューズ２１とＦＡＮモータ１００とを接続するラインに接続されており、アノードはトランジスタ５１のベースに接続されている。トランジスタ５１のエミッタはＧＮＤに接続されており、コレクタはマイクロコンピュータ１０に接続されている。トランジスタ５１のコレクタとマイクロコンピュータ１０とを接続するラインには抵抗Ｒ４３の端部が接続されている。そして、抵抗Ｒ４３のもう一方の端部は第２電源３１に接続されている。トランジスタ５１のコレクタの電圧Ｓ３は、マイクロコンピュータ１０により検知される。
【００３４】
監視回路Ｂ１１は、ヒューズ２２が溶断したことを検知するための回路であり、ツェナーダイオード６２と、トランジスタ５２と、抵抗４５とを備えている。ツェナーダイオード６２のカソードは、ヒューズ２２とＳＣＡＮモータ駆動部１１０とを接続するラインに接続されており、アノードはトランジスタ５２のベースに接続されている。トランジスタ５２のエミッタはＧＮＤに接続されており、コレクタはマイクロコンピュータ１０に接続されている。トランジスタ５２のコレクタとマイクロコンピュータ１０とを接続するラインには抵抗Ｒ４５の端部が接続されている。そして、抵抗Ｒ４５のもう一方の端部は第２電源３１に接続されている。トランジスタ５２のコレクタの電圧Ｓ４は、マイクロコンピュータ１０により検知される。
【００３５】
［実施形態の動作］
［ＦＡＮモータ１００に異常が発生した時の動作］
まず、ＦＡＮモータ１００の異常によってヒューズ２１が溶断した時の動作について説明する。ユーザにより複合機の電源が入れられると、マイクロコンピュータ１０へ電力が供給される。マイクロコンピュータ１０は、電力が供給されると、ＲＯＭに記憶されているプログラムに従って、複合機の各部の制御を開始する。また、電源が入れられると、第１電源３０からヒューズ２１を介してＦＡＮモータ１００へ電力が供給され、ヒューズ２２を介してＳＣＡＮモータ駆動部１１０へ電力が供給される。
【００３６】
ヒューズ２１を介して第１電源３０からＦＡＮモータ１００へ電力が供給されると、ツェナーダイオード６１を介してトランジスタ５１のベースに電流が流れる。トランジスタ５１のベースに電流が流れると、トランジスタ５１がＯＮとなり、トランジスタ５１のコレクタの電圧Ｓ３が「Ｌ」レベルとなる。また、ヒューズ２１を介して第１電源３０から電力が供給された後、ＦＡＮモータ１００が正常に動作していると、ＦＡＮモータ１００から「Ｌ」レベルの報知信号Ｓ１０が出力される。この報知信号Ｓ１０は、マイクロコンピュータ１０に入力される。
【００３７】
また、ヒューズ２２を介して第１電源３０からＳＣＡＮモータ駆動部１１０へ電力が供給されると、ツェナーダイオード６２を介してトランジスタ５２のベースに電流が流れる。トランジスタ５２のベースに電流が流れると、トランジスタ５２がＯＮとなり、トランジスタ５２のコレクタの電圧Ｓ４が「Ｌ」レベルとなる。また、ヒューズ２２を介して電力が供給された後、ＳＣＡＮモータ駆動部１１０が正常に動作していると、ＳＣＡＮモータ駆動部１１０から「Ｌ」レベルの報知信号Ｓ２０が出力される。この報知信号Ｓ２０は、マイクロコンピュータ１０に入力される。
【００３８】
まず、マイクロコンピュータ１０は、ＦＡＮモータ１００のシャフトを回転させるために「Ｈ」レベルの制御信号ＳＧ１を出力する（図６：ステップＳＢ１、図７：時点ｔ１１）。この後、マイクロコンピュータ１０は、電圧Ｓ３と電圧Ｓ４とを検知する（ステップＳＢ２）。マイクロコンピュータ１０は、この電圧Ｓ３が「Ｈ」レベルであるか「Ｌ」レベルであるか判断し、電圧Ｓ３が「Ｌ」レベルである場合には、ヒューズ２１が溶断していないと判断する（ステップＳＢ３；ＹＥＳ）。次にマイクロコンピュータ１０は、電圧Ｓ４が「Ｈ」レベルであるか「Ｌ」レベルであるか判断し、電圧Ｓ４が「Ｌ」レベルである場合には（ステップＳＢ４；ＹＥＳ）、ヒューズ２２が溶断していないと判断し、処理の流れをステップＳＢ２へ戻す。
【００３９】
この後、ＦＡＮモータ１００に過電流が流れる等の異常が発生すると、ＦＡＮモータ１００から「Ｈ」レベルの報知信号Ｓ１０が出力される（図７：時点ｔ１２）。ＦＡＮモータ１００から「Ｈ」レベルの報知信号Ｓ１０が出力されると、この報知信号Ｓ１０は、マイクロコンピュータ１０に入力される。また、ＦＡＮモータ１００に過電流が流れる等の異常が発生すると、ヒューズ２１が溶断する。ヒューズ２１が溶断すると、第１電源３０からＦＡＮモータ１００へ電力が供給されなくなり、トランジスタ５１のベースに電流が流れなくなる。トランジスタ５１のベースに電流が流れなくなると、トランジスタ５１がＯＦＦとなり、トランジスタ５１のコレクタの電圧Ｓ３が「Ｈ」レベルとなる（図７：時点ｔ１３）。
【００４０】
マイクロコンピュータ１０は、ステップＳＢ２で電圧Ｓ３と電圧Ｓ４とを検知し、時点ｔ１３において、トランジスタ５１のコレクタの電圧Ｓ３が「Ｈ」レベルとなったと判断すると（ステップＳＢ３；ＮＯ）、報知信号Ｓ１０のレベルを検知する（ステップＳＢ５）。時点ｔ１３においては、報知信号Ｓ１０のレベルは「Ｈ」レベルとなっているので、検知した報知信号Ｓ１０のレベル（「Ｈ」レベル）を不揮発性メモリ９０に記憶する（ステップＳＢ６）。
【００４１】
マイクロコンピュータ１０は、報知信号Ｓ１０のレベルを記憶すると、記憶した電圧のレベルに応じて、溶断したヒューズと、ヒューズの溶断原因とを表示部８０にて報知する。電圧Ｓ３のレベルが「Ｈ」レベルであり、報知信号Ｓ１０のレベルが「Ｈ」レベルであった場合、マイクロコンピュータ１０は、ヒューズ２１が溶断したことと、ヒューズ２１の溶断の原因がＦＡＮモータ１００であることを報知する（ステップＳＢ７）。
【００４２】
［ＳＣＡＮモータ駆動部１１０に異常が発生した時の動作］
次に、ＳＣＡＮモータ駆動部１１０に異常が発生したことによってヒューズ２２が溶断した時の動作について説明する。なお、複合機の電源が入れられてからＦＡＮモータ１００のシャフトが回転を始めるまでの動作は、上述した動作と同じであるため、その説明を省略する。
【００４３】
マイクロコンピュータ１０は制御信号ＳＧ１を出力した後、電圧Ｓ３と電圧Ｓ４とを検知する（図６：ステップＳＢ２）。マイクロコンピュータ１０は、電圧Ｓ３が「Ｈ」レベルであるか「Ｌ」レベルであるか判断し、電圧Ｓ３が「Ｌ」レベルである場合には、ヒューズ２１が溶断されていないと判断する（ステップＳＢ３；ＹＥＳ）。次にマイクロコンピュータ１０は、電圧Ｓ４が「Ｈ」レベルであるか「Ｌ」レベルであるか判断し、電圧Ｓ４が「Ｌ」レベルである場合（ステップＳＢ４；ＹＥＳ）、ヒューズ２２が溶断されていないと判断し、処理の流れをステップＳＢ２へ戻す。
【００４４】
この後、ＳＣＡＮモータ駆動部１１０に過電流が流れる等の異常が発生すると、ＳＣＡＮモータ駆動部１１０から「Ｈ」レベルの報知信号Ｓ２０が出力される（図８：時点ｔ１４）。ＳＣＡＮモータ駆動部１１０から「Ｈ」レベルの報知信号Ｓ２０が出力されると、この報知信号Ｓ２０は、マイクロコンピュータ１０に入力される。また、ＳＣＡＮモータ駆動部１１０に過電流が流れる等の異常が発生すると、ヒューズ２２が溶断する。ヒューズ２２が溶断すると、第１電源３０からＳＣＡＮモータ駆動部１１０へ電力が供給されなくなり、トランジスタ５２のベースに電流が流れなくなる。トランジスタ５２のベースに電流が流れなくなると、トランジスタ５２がＯＦＦとなり、トランジスタ５２のコレクタの電圧Ｓ４が「Ｈ」レベルとなる（図８：時点ｔ１５）。
【００４５】
マイクロコンピュータ１０は、ステップＳＢ２で電圧Ｓ３と電圧Ｓ４とを検知し、時点ｔ１５において、トランジスタ５２のコレクタの電圧Ｓ４が「Ｈ」レベルとなったと判断すると（ステップＳＢ４；ＮＯ）、報知信号Ｓ２０のレベルを検知する（ステップＳＢ８）。時点ｔ１５においては、報知信号Ｓ２０のレベルは「Ｈ」レベルとなっているので、検知した報知信号Ｓ２０のレベル（「Ｈ」）を不揮発性メモリ９０に記憶する（ステップＳＢ９）。
【００４６】
マイクロコンピュータ１０は、報知信号Ｓ２０のレベルを記憶すると、記憶した電圧のレベルに応じて、溶断したヒューズと、ヒューズの溶断原因とを表示部８０にて報知する。電圧Ｓ４のレベルが「Ｈ」レベルであり、報知信号Ｓ２０のレベルが「Ｈ」レベルであった場合、マイクロコンピュータ１０は、ヒューズ２２が溶断したことと、ヒューズ２２の溶断の原因がＳＣＡＮモータ駆動部１１０であることを報知する（ステップＳＢ７）。
【００４７】
以上説明したように、本実施形態によれば、複合機を分解することなく、ヒューズ２１とヒューズ２２のどちらが溶断したのかをユーザや修理者は、容易に知ることができる。
また、本実施実施形態によれば、ユーザや修理者は、複合機を分解することなく、ヒューズの溶断の原因を知ることができる。
【００４８】
［第３実施形態］
次に、本発明の第３実施形態について説明する。図９は、本発明の実施形態に係わる複合機の要部のハードウェア構成を示した図である。本実施形態は、ＯＲ回路７０を備えている点が第２実施形態と異なる。なお、図９において、第２実施形態と同じ構成である部分については、図５と同じ符号を付し、その説明を省略する。
【００４９】
図９に示したように、トランジスタ５１のコレクタと、トランジスタ５２のコレクタはＯＲ回路７０の入力端子に接続されており、ＯＲ回路７０の出力端子は、マイクロコンピュータ１０に接続されている。トランジスタ５１のコレクタの電圧Ｓ３またはトランジスタ５２のコレクタの電圧Ｓ４のいずれかが「Ｈ」レベルとなると、「Ｈ」レベルの信号Ｓ５がＯＲ回路７０の出力端子から出力される。
【００５０】
［実施形態の動作］
［ＦＡＮモータ１００に異常が発生した時の動作］
まず、ＦＡＮモータ１００の異常によってヒューズ２１が溶断した時の動作について説明する。ユーザにより複合機の電源が入れられると、マイクロコンピュータ１０へ電力が供給される。マイクロコンピュータ１０は、電力が供給されると、ＲＯＭに記憶されているプログラムに従って、複合機の各部の制御を開始する。また、電源が入れられると、第１電源３０からヒューズ２１を介してＦＡＮモータ１００へ電力が供給され、ヒューズ２２を介してＳＣＡＮモータ駆動部１１０へ電力が供給される。
【００５１】
ヒューズ２１を介して第１電源３０からＦＡＮモータ１００へ電力が供給されると、トランジスタ５１がＯＮとなり、トランジスタ５１のコレクタの電圧Ｓ３が「Ｌ」レベルとなる。また、ヒューズ２１を介して第１電源３０から電力が供給された後、ＦＡＮモータ１００が正常に動作していると、ＦＡＮモータ１００から「Ｌ」レベルの報知信号Ｓ１０が出力される。この報知信号Ｓ１０は、マイクロコンピュータ１０に入力される。
【００５２】
また、ヒューズ２２を介して第１電源３０からＳＣＡＮモータ駆動部１１０へ電力が供給されると、トランジスタ５２がＯＮとなり、トランジスタ５２のコレクタの電圧Ｓ４が「Ｌ」レベルとなる。また、ヒューズ２２を介して電力が供給された後、ＳＣＡＮモータ駆動部１１０が正常に動作していると、ＳＣＡＮモータ駆動部１１０から「Ｌ」レベルの報知信号Ｓ２０が出力される。この報知信号Ｓ２０は、マイクロコンピュータ１０に入力される。電圧Ｓ３と電圧Ｓ４とが共に「Ｌ」レベルとなると、ＯＲ回路７０からは「Ｌ」レベルの信号Ｓ５が出力される。
【００５３】
まず、マイクロコンピュータ１０は、ＦＡＮモータ１００のシャフトを回転させるために「Ｈ」レベルの制御信号ＳＧ１を出力する（図１０：ステップＳＣ１、図７：時点ｔ１１）。次に、マイクロコンピュータ１０は、ＯＲ回路７０の出力端子から出力される信号Ｓ５のレベルを検知する（ステップＳＣ２）。マイクロコンピュータ１０は、この信号Ｓ５のレベルが「Ｈ」レベルであるか「Ｌ」レベルであるか判断し、信号Ｓ５が「Ｌ」レベルである場合には、ヒューズ２１とヒューズ２２のいずれも溶断していないと判断する（ステップＳＣ３；ＹＥＳ）。
【００５４】
この後、ＦＡＮモータ１００に過電流が流れる等の異常が発生すると、ＦＡＮモータ１００から「Ｈ」レベルの報知信号Ｓ１０が出力される（図７：時点ｔ１２）。ＦＡＮモータ１００から「Ｈ」レベルの報知信号Ｓ１０が出力されると、この報知信号Ｓ１０は、マイクロコンピュータ１０に入力される。また、ＦＡＮモータ１００に過電流が流れる等の異常が発生すると、ヒューズ２１が溶断する。ヒューズ２１が溶断すると、第１電源３０からＦＡＮモータ１００へ電力が供給されなくなり、トランジスタ５１がＯＦＦとなって、トランジスタ５１のコレクタの電圧Ｓ３が「Ｈ」レベルとなる（図７：時点ｔ１３）。電圧Ｓ３のレベルが「Ｈ」レベルとなると、ＯＲ回路７０の出力端子から出力される信号Ｓ５のレベルが「Ｈ」レベルとなる。
【００５５】
マイクロコンピュータ１０は、ステップＳＣ２で信号Ｓ５のレベルを検知し、時点ｔ１３において、信号Ｓ５のレベルが「Ｈ」レベルとなったと判断すると（ステップＳＣ３；ＮＯ）、報知信号Ｓ１０と報知信号Ｓ２０のレベルを検知する（ステップＳＣ４）。時点ｔ１３においては、報知信号Ｓ１０のレベルは「Ｈ」レベルとなっており、報知信号Ｓ２０のレベルは「Ｌ」レベルとなっている。マイクロコンピュータ１０は、検知した報知信号Ｓ１０のレベル（「Ｈ」レベル）と報知信号Ｓ２０のレベル（「Ｌ」レベル）とを不揮発性メモリ９０に記憶する（ステップＳＣ５）。
【００５６】
マイクロコンピュータ１０は、報知信号Ｓ１０と報知信号Ｓ２０のレベルを記憶すると、記憶した電圧のレベルに応じて、溶断したヒューズと、ヒューズの溶断原因とを表示部８０にて報知する。報知信号Ｓ１０のレベルが「Ｈ」レベルであり、報知信号Ｓ２０のレベルが「Ｌ」レベルであった場合、マイクロコンピュータ１０は、ヒューズ２１が溶断したと判断し、ヒューズ２１が溶断したことと、ヒューズ２１の溶断の原因がＦＡＮモータ１００であることを報知する（ステップＳＣ６）。
【００５７】
［ＳＣＡＮモータ駆動部１１０に異常が発生した時の動作］
次に、ＳＣＡＮモータ駆動部１１０の異常によってヒューズ２２が溶断した時の動作について説明する。なお、複合機の電源が入れられてからＦＡＮモータ１００のシャフトが回転を始めるまでの動作は、上述した動作と同じであるため、その説明を省略する。
【００５８】
マイクロコンピュータ１０は制御信号ＳＧ１を出力した後、ＯＲ回路７０の出力端子から出力された信号Ｓ５のレベルを検知する（ステップＳＣ２）。マイクロコンピュータ１０は、この信号Ｓ５のレベルが「Ｈ」レベルであるか「Ｌ」レベルであるか判断し、信号Ｓ５のレベルが「Ｌ」レベルである場合には、ヒューズ２１とヒューズ２２のいずれも溶断されていないと判断する（ステップＳＣ３；ＹＥＳ）。
【００５９】
この後、ＳＣＡＮモータ駆動部１１０に過電流が流れる等の異常が発生すると、ＳＣＡＮモータ駆動部１１０から「Ｈ」レベルの報知信号Ｓ２０が出力される（図８：時点ｔ１４）。ＳＣＡＮモータ駆動部１１０から「Ｈ」レベルの報知信号Ｓ２０が出力されると、この報知信号Ｓ２０は、マイクロコンピュータ１０に入力される。また、ＳＣＡＮモータ駆動部１１０に過電流が流れる等の異常が発生すると、ヒューズ２２が溶断する。ヒューズ２２が溶断すると、第１電源３０からＳＣＡＮモータ駆動部１１０へ電力が供給されなくなり、トランジスタ５２がＯＦＦとなって、トランジスタ５２のコレクタの電圧Ｓ４が「Ｈ」レベルとなる（図８：時点ｔ１５）。電圧Ｓ４のレベルが「Ｈ」レベルとなると、ＯＲ回路７０の出力端子から出力される信号Ｓ５のレベルが「Ｈ」レベルとなる。
【００６０】
マイクロコンピュータ１０は、ステップＳＣ２で信号Ｓ５のレベルを検知し、時点ｔ１５において、信号Ｓ５のレベルが「Ｈ」レベルとなったと判断すると（ステップＳＣ３；ＮＯ）、報知信号Ｓ１０と報知信号Ｓ２０のレベルを検知する（ステップＳＣ４）。時点ｔ１５、報知信号Ｓ１０のレベルは「Ｌ」レベルとなっており、報知信号Ｓ２０のレベルは「Ｈ」レベルとなっている。マイクロコンピュータ１０は、検知した報知信号Ｓ１０のレベル（「Ｌ」レベル）と報知信号Ｓ２０のレベル（「Ｈ」レベル）とを不揮発性メモリ９０に記憶する（ステップＳＣ５）。
【００６１】
マイクロコンピュータ１０は、報知信号Ｓ１０と報知信号Ｓ２０のレベルを記憶すると、記憶した電圧のレベルに応じて、溶断したヒューズと、ヒューズの溶断原因とを表示部８０にて報知する。報知信号Ｓ１０のレベルが「Ｌ」レベルであり、報知信号Ｓ２０のレベルが「Ｈ」レベルであった場合、マイクロコンピュータ１０は、ヒューズ２２が溶断したと判断し、ヒューズ２２が溶断したことと、ヒューズ２２の溶断の原因がＳＣＡＮモータ駆動部１１０であることを報知する（ステップＳＣ６）。
【００６２】
以上説明したように本実施形態によっても、複合機を分解することなく、ヒューズ２１とヒューズ２２のどちらが溶断したのかをユーザや修理者は、容易に知ることができる。また、本実施実施形態によれば、ユーザや修理者は、複合機を分解することなく、ヒューズの溶断の原因を知ることができる。
【００６３】
［第４実施形態］
次に、本発明の第４実施形態について説明する。図１１は、本発明の実施形態に係わる複合機の要部のハードウェア構成を示した図である。本実施形態は、ヒューズが溶断したことを検出する回路の構成が第２実施形態と異なる。なお、図１１において、第２実施形態と同じ構成である部分については、図５と同じ符号を付し、その説明を省略する。
【００６４】
監視回路Ａ２１は、ヒューズ２１が溶断したことを検知するための回路であり、ツェナーダイオード６１と、トランジスタ５１と、抵抗４６とを備えている。ツェナーダイオード６１のカソードは、ヒューズ２１とＦＡＮモータ１００とを接続するラインに接続されており、アノードはトランジスタ５１のベースに接続されている。トランジスタ５１のエミッタはＧＮＤに接続されており、コレクタは抵抗４６の端部に接続されている。抵抗４６のもう一方の端部は、第２電源３１に接続されている抵抗４８の端部に接続されている。
【００６５】
監視回路Ｂ２１は、ヒューズ２２が溶断されたことを検知するための回路であり、ツェナーダイオード６２と、トランジスタ５２と、抵抗４７とを備えている。ツェナーダイオード６２のカソードは、ヒューズ２２とＳＣＡＮモータ駆動部１１０とを接続するラインに接続されており、アノードはトランジスタ５１のベースに接続されている。トランジスタ５２のエミッタはＧＮＤに接続されており、コレクタは抵抗４７の端部に接続されている。抵抗４７のもう一方の端部は、第２電源３１に接続されている抵抗４８の端部に接続されている。
【００６６】
抵抗４６と抵抗４７と抵抗４８とが接続されている部分は、マイクロコンピュータ１０に接続されており、マイクロコンピュータ１０は、この部分の電圧レベルを検知する。
この構成の下、ヒューズ２１またはヒューズ２２が溶断してトランジスタ５１とトランジスタ５２とのＯＮ／ＯＦＦの組合せが変化すると、ＯＮ／ＯＦＦの組合せに応じて、抵抗４６と抵抗４７と抵抗４８とが接続されている部分の電圧レベルが変化する。マイクロコンピュータ１０は、この電圧レベルを検知し、ヒューズ２１とヒューズ２２とのいずれのヒューズが溶断したのかを判断して、溶断したヒューズを表示部８０にて報知する。
【００６７】
［第５実施形態］
次に、本発明の第５実施形態について説明する。図１２は、本発明の実施形態に係わる複合機の要部のハードウェア構成を示した図である。本実施形態は、ヒューズ２１が溶断したことを検知する回路と、ヒューズ２２が溶断したことを検知する回路の構成が第２実施形態と異なる。なお、図１２において、第２実施形態と同じ構成である部分については、図５と同じ符号を付し、その説明を省略する。
【００６８】
監視回路Ａ３１は、ヒューズ２１が溶断したことを検知するための回路であり、抵抗Ｒ１１と抵抗Ｒ１２とを備えている。抵抗Ｒ１１の一方の端部は、ヒューズ２１とＦＡＮモータ１００とを接続するラインに接続されており、抵抗Ｒ１１のもう一方の端部には抵抗Ｒ１２が直列に接続されている。また、抵抗Ｒ１２のもう一方の端部（Ｒ１１に接続されている側の端部とは反対側の端部）はＧＮＤに接続されている。ヒューズ２１を介してＦＡＮモータ１００に電力が供給されると、ヒューズ２１とＦＡＮモータ１００とを接続するラインにかかる電圧がＲ１１とＲ１２によって分圧され、Ｒ１１とＲ１２との接続点が所定の電圧となる。また、ヒューズ２１が溶断してＦＡＮモータ１００に電力が供給されなくなると、Ｒ１１とＲ１２との接続点の電圧は「Ｌ」レベルとなる。抵抗Ｒ１１と抵抗Ｒ１２との接続点は、マイクロコンピュータ１０に接続されており、マイクロコンピュータ１０は、接続点の電圧Ｓ６を検知する。
【００６９】
監視回路Ｂ３１は、ヒューズ２２が溶断したことを検知するための回路であり、抵抗Ｒ１３と抵抗Ｒ１４とを備えている。抵抗Ｒ１３の一方の端部は、ヒューズ２２とＳＣＡＮモータ駆動部１１０とを接続するラインに接続されており、抵抗Ｒ１３のもう一方の端部には抵抗Ｒ１４が直列に接続されている。抵抗Ｒ１４のもう一方の端部（Ｒ１３に接続されている側の端部とは反対側の端部）はＧＮＤに接続されている。ヒューズ２２を介してＳＣＡＮモータ駆動部１１０に電力が供給されると、ヒューズ２２とＳＣＡＮモータ駆動部１１０とを接続するラインにかかる電圧がＲ１３とＲ１４によって分圧され、Ｒ１３とＲ１４との接続点が所定の電圧となる。また、ヒューズ２２が溶断されてＳＣＡＮモータ駆動部１１０に電力が供給されなくなると、Ｒ１３とＲ１４との接続点の電圧は「Ｌ」レベルとなる。抵抗Ｒ１３と抵抗Ｒ１４との接続点は、マイクロコンピュータ１０に接続されており、マイクロコンピュータ１０は、この接続点の電圧Ｓ７を検知する。
【００７０】
［実施形態の動作］
［ＦＡＮモータ１００に異常が発生した時の動作］
まず、ＦＡＮモータ１００の異常によってヒューズ２１が溶断した時の動作について説明する。ユーザにより複合機の電源が入れられると、マイクロコンピュータ１０へ電力が供給される。マイクロコンピュータ１０は、電力が供給されると、ＲＯＭに記憶されているプログラムに従って、複合機の各部の制御を開始する。また、第１電源３０からヒューズ２１を介してＦＡＮモータ１００へ電力が供給され、ヒューズ２２を介してＳＣＡＮモータ駆動部１１０へ電力が供給される。
【００７１】
ヒューズ２１を介して第１電源３０からＦＡＮモータ１００へ電力が供給されると、ヒューズ２１とＦＡＮモータ１００とを接続するラインにかかる電圧がＲ１１とＲ１２によって分圧され、Ｒ１１とＲ１２との接続点が所定の電圧となる。また、ヒューズ２１を介して第１電源３０から電力が供給された後、ＦＡＮモータ１００が正常に動作していると、ＦＡＮモータ１００から「Ｌ」レベルの報知信号Ｓ１０が出力される。この報知信号Ｓ１０は、マイクロコンピュータ１０に入力される。
【００７２】
また、ヒューズ２２を介して第１電源３０からＳＣＡＮモータ駆動部１１０へ電力が供給されると、ヒューズ２２とＳＣＡＮモータ駆動部１１０とを接続するラインにかかる電圧がＲ１３とＲ１４によって分圧され、Ｒ１３とＲ１４との接続点が所定の電圧となる。また、ヒューズ２２を介して電力が供給された後、ＳＣＡＮモータ駆動部１１０が正常に動作していると、ＳＣＡＮモータ駆動部１１０から「Ｌ」レベルの報知信号Ｓ２０が出力される。この報知信号Ｓ２０は、マイクロコンピュータ１０に入力される。
【００７３】
まず、マイクロコンピュータ１０は、ＦＡＮモータ１００のシャフトを回転させるために「Ｈ」レベルの制御信号ＳＧ１を出力する（図１３：ステップＳＤ１）。この後、マイクロコンピュータ１０は、電圧Ｓ６と電圧Ｓ７とを検知する（ステップＳＤ２）。マイクロコンピュータ１０は、まず電圧Ｓ６が所定の電圧レベルであるか「Ｌ」レベルであるか判断し、電圧Ｓ６が所定の電圧レベルである場合には、ヒューズ２１が溶断していないと判断する（ステップＳＤ３；ＮＯ）。次にマイクロコンピュータ１０は、電圧Ｓ７が所定の電圧レベルであるか「Ｌ」レベルであるか判断し、電圧Ｓ７が所定の電圧レベルである場合には（ステップＳＤ４；ＮＯ）、ヒューズ２２が溶断されていないと判断し、処理の流れをステップＳＤ２へ戻す。
【００７４】
この後、ＦＡＮモータ１００に過電流が流れる等の異常が発生すると、ＦＡＮモータ１００から「Ｈ」レベルの報知信号Ｓ１０が出力される。ＦＡＮモータ１００から「Ｈ」レベルの報知信号Ｓ１０が出力されると、この報知信号Ｓ１０は、マイクロコンピュータ１０に入力される。また、ＦＡＮモータ１００に過電流が流れる等の異常が発生すると、ヒューズ２１が溶断する。ヒューズ２１が溶断すると、第１電源３０からＦＡＮモータ１００へ電力が供給されなくなり、抵抗Ｒ１１と抵抗Ｒ１２との接続点が「Ｌ」レベルとなる。
【００７５】
マイクロコンピュータ１０は、ステップＳＤ２で電圧Ｓ６と電圧Ｓ７とを検知し、電圧Ｓ６が「Ｌ」レベルとなったと判断すると（ステップＳＤ３；ＹＥＳ）、報知信号Ｓ１０のレベルを検知する（ステップＳＤ５）。電圧Ｓ６が「Ｌ」レベルとなった時点では、報知信号Ｓ１０のレベルは「Ｈ」レベルとなっているので、検知した報知信号Ｓ１０のレベル（「Ｈ」レベル）を不揮発性メモリ９０に記憶する（ステップＳＤ６）。
【００７６】
マイクロコンピュータ１０は、報知信号Ｓ１０のレベルを記憶すると、記憶した電圧のレベルに応じて、溶断したヒューズと、ヒューズの溶断原因とを表示部８０にて報知する。電圧Ｓ６のレベルが「Ｌ」レベルであり、報知信号Ｓ１０のレベルが「Ｈ」レベルであった場合、マイクロコンピュータ１０は、ヒューズ２１が溶断したことと、ヒューズ２１の溶断の原因がＦＡＮモータ１００であることを報知する（ステップＳＤ７）。
【００７７】
［ＳＣＡＮモータ駆動部１１０に異常が発生した時の動作］
次に、ＳＣＡＮモータ駆動部１１０に異常が発生したことによってヒューズ２２が溶断した時の動作について説明する。なお、複合機の電源が入れられてからＦＡＮモータ１００のシャフトが回転を始めるまでの動作は、上述した動作と同じであるため、その説明を省略する。
【００７８】
マイクロコンピュータ１０は、「Ｈ」レベルの制御信号ＳＧ１を出力した後、電圧Ｓ６と電圧Ｓ７とを検知する（ステップＳＤ２）。マイクロコンピュータ１０は、まず電圧Ｓ６が所定の電圧レベルであるか「Ｌ」レベルであるか判断し、電圧Ｓ６が所定の電圧レベルである場合には、ヒューズ２１が溶断していないと判断する（ステップＳＤ３；ＮＯ）。次にマイクロコンピュータ１０は、電圧Ｓ７が所定の電圧レベルであるか「Ｌ」レベルであるか判断し、電圧Ｓ７が所定の電圧レベルである場合には、ヒューズ２２が溶断していないと判断する（ステップＳＤ４；ＮＯ）。
【００７９】
この後、ＳＣＡＮモータ駆動部１１０に過電流が流れる等の異常が発生すると、ＳＣＡＮモータ駆動部１１０から「Ｈ」レベルの報知信号Ｓ２０が出力される。ＳＣＡＮモータ駆動部１１０から「Ｈ」レベルの報知信号Ｓ２０が出力されると、この報知信号Ｓ２０は、マイクロコンピュータ１０に入力される。また、ＳＣＡＮモータ駆動部１１０に過電流が流れる等の異常が発生すると、ヒューズ２２が溶断する。ヒューズ２２が溶断すると、第１電源３０からＳＣＡＮモータ駆動部１１０へ電力が供給されなくなり、抵抗Ｒ１３と抵抗Ｒ１４との接続点が「Ｌ」レベルとなる。
【００８０】
マイクロコンピュータ１０は、ステップＳＤ２で電圧Ｓ６と電圧Ｓ７とを検知し、電圧Ｓ７が「Ｌ」レベルとなったと判断すると（ステップＳＤ４；ＹＥＳ）、報知信号Ｓ２０のレベルを検知する（ステップＳＤ８）。電圧Ｓ７が「Ｌ」レベルとなった時点では、報知信号Ｓ２０のレベルは「Ｈ」レベルとなっているので、検知した報知信号Ｓ２０のレベル（「Ｈ」）を不揮発性メモリ９０に記憶する（ステップＳＤ９）。
【００８１】
マイクロコンピュータ１０は、報知信号Ｓ２０のレベルを記憶すると、記憶した電圧のレベルに応じて、溶断したヒューズと、ヒューズの溶断原因とを表示部８０にて報知する。電圧Ｓ７のレベルが「Ｌ」レベルであり、報知信号Ｓ２０のレベルが「Ｈ」レベルであった場合、マイクロコンピュータ１０は、ヒューズ２２が溶断したことと、ヒューズ２２の溶断の原因がＳＣＡＮモータ駆動部１１０であることを報知する（ステップＳＤ７）。
【００８２】
以上説明したように、本実施形態によっても、複合機を分解することなく、ヒューズ２１とヒューズ２２のどちらが溶断したのかをユーザや修理者は、容易に知ることができる。また、本実施実施形態によれば、ユーザや修理者は、複合機を分解することなく、ヒューズの溶断の原因を知ることができる。
【００８３】
［第６実施形態］
次に本発明の第６実施形態について説明する。図１４は、本発明の実施形態に係わる複合機の要部のハードウェア構成を示した図である。本実施形態は、ＡＮＤ回路７１を備えている点が第５実施形態と異なる。なお、図１４において、第５実施形態と同じ構成である部分については、図１２と同じ符号を付し、その説明を省略する。
【００８４】
図１４に示したように、抵抗Ｒ１１と抵抗Ｒ１２の接続点および抵抗Ｒ１３と抵抗Ｒ１４の接続点は、ＡＮＤ回路７１の入力端子に接続されており、ＡＮＤ回路７１の出力端子は、マイクロコンピュータ１０に接続されている。抵抗Ｒ１１と抵抗Ｒ１２の接続点の電圧Ｓ６、または抵抗Ｒ１３と抵抗Ｒ１４との接続点の電圧Ｓ７の両方またはいずれか一方が「Ｌ」レベルとなると、「Ｌ」レベルの信号Ｓ８がＡＮＤ回路７１の出力端子から出力され、電圧Ｓ６と電圧Ｓ７の両方が所定の電圧レベルとなると、「Ｈ」レベルの信号Ｓ８が出力される。
【００８５】
ヒューズ２１とヒューズ２２とが溶断していない状態では、ＡＮＤ回路７１から「Ｈ」レベルの信号Ｓ８が出力される。マイクロコンピュータ１０は、信号Ｓ８のレベルを検知し、信号Ｓ８のレベルが「Ｈ」レベルである場合には、ヒューズ２１とヒューズ２２とが溶断していないと判断する。
【００８６】
一方、ヒューズ２１またはヒューズ２２のいずれかが溶断すると、第５実施形態と同様に抵抗Ｒ１１と抵抗Ｒ１２の接続点の電圧Ｓ６が「Ｌ」レベルとなる。電圧Ｓ６のレベルが「Ｌ」レベルとなると、ＡＮＤ回路７１から出力される信号Ｓ８のレベルが「Ｌ」レベルとなる。マイクロコンピュータ１０は、信号Ｓ８のレベルが「Ｌ」レベルとなると、報知信号Ｓ１０と報知信号Ｓ２０のレベルを検知し、検知したレベルを不揮発性メモリ９０に記憶する。マイクロコンピュータ１０は、報知信号Ｓ１０と報知信号Ｓ２０のレベルを記憶すると、第３実施形態と同様にして、溶断したヒューズとヒューズの溶断原因を表示部８０に表示する。
【００８７】
［第７実施形態］
本発明の第７実施形態について説明する。図１５は、本発明の実施形態に係わる複合機の要部のハードウェア構成を示した図である。本実施形態は、ヒューズ２１が溶断したことを検知する回路と、ヒューズ２２が溶断したことを検知する回路の構成が第５実施形態と異なる。なお、図１５において、第５実施形態と同じ構成である部分については、図５と同じ符号を付し、その説明を省略する。
【００８８】
図１５に示したように、ヒューズ２１とＦＡＮモータ１００とを接続するラインには抵抗Ｒ２１の端部が接続されており、ヒューズ２２とＳＣＡＮモータ駆動部１１０とを接続するラインには抵抗Ｒ２２の端部が接続されている。また、抵抗Ｒ２１のもう一方の端部（ヒューズ２１とＦＡＮモータ１００とを接続するラインに接続されている端部とは反対側の端部）と抵抗Ｒ２２のもう一方の端部（ヒューズ２２とＳＣＡＮモータ駆動部１１０とを接続するラインに接続されている端部とは反対側の端部）は互いに接続されている。また、抵抗Ｒ２１と抵抗Ｒ２２との接続点には、ＧＮＤに接続されている抵抗Ｒ２３と抵抗Ｒ２４とが接続されている。抵抗Ｒ２１と抵抗Ｒ２２とが接続されている部分は、マイクロコンピュータ１０に接続されており、マイクロコンピュータ１０は、この部分の電圧Ｓ９を検知する。
【００８９】
この構成の下、ヒューズ２１またはヒューズ２２が溶断すると、ヒューズが溶断していない時と比較して、電圧Ｓ９のレベルが変化する。マイクロコンピュータ１０は、この電圧レベルを検知すれば、ヒューズ２１とヒューズ２２とのいずれのヒューズが溶断したのかを知ることができる。
【００９０】
［変形例］
以上、本発明の実施形態について説明したが、本発明は上述した実施形態に限定されることなく、以下に示すように他の様々な形態で実施可能である。
【００９１】
上述した第１実施形態においては、ＳＣＡＮモータ駆動部１１０以外の他に複数の回路ブロックをヒューズ２１に接続するようにしてもよい。
上述した実施形態においては、第１電源３０に接続されるヒューズの数は２つに限定されるものではない。第１電源に３つ以上のヒューズを並列に接続し、各ヒューズに種々の回路ブロックを接続するようにしてもよい。そして、マイクロコンピュータ１０は、各ヒューズの溶断と、各回路ブロックの異常とを検知し、溶断したヒューズとヒューズの溶断原因とを表示するようにしてもよい。
【００９２】
上述した第２実施形態においては、図１６に示したように、マイクロコンピュータ１０にＩ／Ｏエキスパンダー１２０を接続するようにしてもよい。この態様においては、図１６に示したように、トランジスタ５１のコレクタと、トランジスタ５２のコレクタは、Ｉ／Ｏエキスパンダー１２０の入力端子に接続される。Ｉ／Ｏエキスパンダー１２０は、電圧Ｓ３と電圧Ｓ４のレベルを検知する。そして、マイクロコンピュータ１０の制御の下、検知したレベルをマイクロコンピュータ１０へ出力する。このような態様によっても、マイクロコンピュータ１０はヒューズが溶断したことを検知することができる。なお、他の実施形態においてもＩ／Ｏエキスパンダー１２０を使用して各監視回路からの出力を検知するようにしてもよい。
【００９３】
上述した実施形態においては、過電流が流れるのを防ぐためにヒューズが使用されているが、ヒューズではなくブレーカ等、他の過電流保護素子を用いてもよい。
上述した実施形態においては、パーソナルコンピュータと通信を行うための通信インターフェースをバス１０１に接続し、溶断したヒューズと過電流が流れた回路とを表すデータを、通信インターフェースを介してパーソナルコンピュータへ出力するようにしてもよい。
上述した実施形態においては、音声を出力する音声出力回路を設け、溶断したヒューズと過電流が流れた回路とを音声にて報知するようにしてもよい。
【図面の簡単な説明】
【００９４】
【図１】本発明の第１実施形態に係る複合機のハードウェア構成を示した図である。
【図２】第１実施形態に係わるマイクロコンピュータ１０が行う処理の流れを示したフローチャートである。
【図３】電圧Ｓ１と電圧Ｓ２のレベルの時間的変化を示した図である。
【図４】電圧Ｓ１と電圧Ｓ２のレベルの時間的変化を示した図である。
【図５】本発明の第２実施形態に係わる複合機のハードウェア構成を示した図である。
【図６】第２実施形態に係わるマイクロコンピュータ１０が行う処理の流れを示したフローチャートである。
【図７】電圧Ｓ３と報知信号Ｓ１０のレベルの時間的変化を示した図である。
【図８】電圧Ｓ４と報知信号Ｓ２０のレベルの時間的変化を示した図である。
【図９】本発明の第３実施形態に係わる複合機のハードウェア構成を示した図である。
【図１０】第３実施形態に係わるマイクロコンピュータ１０が行う処理の流れを示したフローチャートである。
【図１１】本発明の第４実施形態に係わる複合機のハードウェア構成を示した図である。
【図１２】本発明の第５実施形態に係わる複合機のハードウェア構成を示した図である。
【図１３】第５実施形態に係わるマイクロコンピュータ１０が行う処理の流れを示したフローチャートである。
【図１４】本発明の第６実施形態に係わる複合機のハードウェア構成を示した図である。
【図１５】本発明の第７実施形態に係わる複合機のハードウェア構成を示した図である。
【図１６】本発明の変形例に係わる複合機のハードウェア構成を示した図である。
【符号の説明】
【００９５】
１０・・・マイクロコンピュータ、２１，２２・・・ヒューズ、３０・・・第１電源、４１〜４７，Ｒ１１〜Ｒ１４，Ｒ２１〜Ｒ２４・・・抵抗、５１，５２・・・トランジスタ、６１，６２・・・ツェナーダイオード、７０・・・ＯＲ回路、７１・・・ＡＮＤ回路、
８０・・・表示部、９０・・・不揮発性メモリ、１００・・・ＦＡＮモータ、１１０・・・ＳＣＡＮモータ駆動部１１０、１２０・・・Ｉ／Ｏエキスパンダー
【図１】
0004569452.tif 000002
【図２】
0004569452.tif 000003
【図３】
0004569452.tif 000004
【図４】
0004569452.tif 000005
【図５】
0004569452.tif 000006
【図６】
0004569452.tif 000007
【図７】
0004569452.tif 000008
【図８】
0004569452.tif 000009
【図９】
0004569452.tif 000010
【図１０】
0004569452.tif 000011
【図１１】
0004569452.tif 000012
【図１２】
0004569452.tif 000013
【図１３】
0004569452.tif 000014
【図１４】
0004569452.tif 000015
【図１５】
0004569452.tif 000016
【図１６】
0004569452.tif 000017